(57)【特許請求の範囲】
【請求項１】
上部プーリを軸支する上部ケーシングと下部プーリを軸支する下部ケーシングと、これら上下のケーシング間に上昇用と下降用の各中間ケーシングを設け、前記上下のプーリ間に掛け渡される無端帯に複数のバケットを装着し、前記下部ケーシングの上端面には前記上昇用と下降用の中間ケーシング間に中間開口部を形成し、さらに、前記下部ケーシング内にあって前記下部プーリの直上には該下部プーリの軸方向と直交する稜線を有する山形状の屋根部材を設けてなるバケットエレベータにおいて、
前記屋根部材の平面視ほぼ中央部に点検用開口部を設けるとともに、該点検用開口部には該点検用開口部を覆う山形状のカバー板を開閉可能に装着したことを特徴とするバケットエレベータにおける下部プーリ清掃装置。
【請求項２】
前記山形カバー板は、蝶番によって回動可能に装着してなる請求項１のバケットエレベータにおける下部プーリ清掃装置。
【請求項３】
前記屋根部材には該屋根部材を前記下部ケーシング内に固定するためのブラケット部を設けてなる請求項１又は２のバケットエレベータにおける下部プーリ清掃装置。
【請求項４】
前記ブラケット部は前記屋根部材に着脱可能に設けてなる請求項３のバケットエレベータにおける下部プーリ清掃装置。
【発明の詳細な説明】
【技術分野】
【０００１】
本発明は、穀粒等のバケットエレベータに係り、特に、バケットエレベータにおける下部プーリ清掃装置に関する。
【背景技術】
【０００２】
従来、縦長状のケーシング内の上下にプーリを設け、該上下プーリによって回動する無端状のバケットベルト等に装着された多数のバケットによって穀粒等を上方に搬送するバケットエレベータは周知である。また、この種のバケットエレベータにおいて、揚穀される穀粒の一部が、バケットからこぼれ落ちて下部プーリとバケットベルトの間に挟まれて破砕されるのを防ぐために、下部プーリの直上に山形状の屋根部材を設けることも周知である（例えば、特許文献１参照。）。
【０００３】
前記屋根部材は、屋根部の稜線方向を、前記バケットベルトの上昇側と下降側との間にあって、下部プーリの取付軸に直交するように位置させて設けられ、振動等によって前記上昇側及び下降側バケットベルトの間を落下する穀粒が、バケットベルトと下部プーリとの間に挟まれないように、屋根部材の稜線から延びる両傾斜面によって前記下部プーリの両軸受側に誘導するよう構成される。
【０００４】
このような屋根部材を設けることによって破砕穀粒の発生が防止されるのであるが、他方で、前記下部プーリの表面を清掃する際には、下部プーリを露出させるために前記屋根部材を一時的に取り外す必要がある。特許文献１においては、屋根部材を固定する長尺状の支持板をバケットエレベータの下部ケーシング内から引き抜くために、下部ケーシングとその上部のケーシングとを分割しなければならない。  
【０００５】
また、前記屋根部材を下部ケーシングの側板にボルト・ナット等で固定する場合にあっては、下部ケーシングに設けた掃除用開口部等から前記屋根部材を引き出すか、下部ケーシング内から下部プーリ自体を取り出さなけらばならないが、このような作業は非常に煩わしく時間を要した。
【０００６】
一方、特許文献２には、下部ケーシングにおける下部プーリの取付軸の軸受が設けられる向かい合う一対の壁面にそれぞれ開口部を設けるとともに、山形状の屋根部材を稜線に沿って二分割可能に形成し、二分割した各屋根部材を前記各開口部を覆う各蓋部材にそれぞれ固定することにより、前記一対の蓋部材を取り外すことで屋根部材を共に取り出して下部プーリの周縁部を開放し、下部プーリの掃除やメンテナンスを容易に行うことができるバケットエレベータが提案されている。
【先行技術文献】
【特許文献】
【０００７】
【特許文献１】特開２００２−６８４４６号公報
【特許文献２】特開２０１５−１３４６７１号公報
【発明の概要】
【発明が解決しようとする課題】
【０００８】
前記特許文献２に記載の下部プーリの清掃手段は、下部ケーシングに設けた一対の開口を閉塞する蓋部材を着脱自在に設けることにより屋根部材を容易に取出し、かつ、組付けることができる。しかし、特許文献２における清掃手段は、構造が複雑でありコスト高が避けられないという問題がある。
そこで、本発明は、前記屋根部材を備えたバケットエレベータであっても、より簡潔な構成により下部プーリの清掃やメンテナンスを容易に行うことができるバケットエレベータにおける下部プーリ清掃装置を提供することを目的とする。
【課題を解決するための手段】
【０００９】
本発明のバケットエレベータにおける下部プーリ清掃装置は、
上部プーリを軸支する上部ケーシングと下部プーリを軸支する下部ケーシングと、これら上下のケーシング間に上昇用と下降用の中間ケーシングを設け、前記上下のプーリ間に掛け渡される無端帯に複数のバケットを装着し、前記下部ケーシングの上端面には前記上昇用と下降用の中間ケーシング間に中間開口部を形成し、さらに、前記下部ケーシング内にあって前記下部プーリの直上には該下部プーリの軸方向と直交する稜線を有する屋根部材を設けてなるバケットエレベータにおいて、
前記屋根部材の平面視ほぼ中央部に点検用開口部を設けるとともに、前記点検用開口部には該点検用開口部を覆う山形状のカバー板を開閉可能に装着したことを特徴とするものである。
【００１０】
前記カバー板は、蝶番によって回動可能に装着するとよい。
【００１１】
前記屋根部材下端部には該屋根部材を前記下部ケーシング内に固定するためのブラケット部を設けることができる。
【００１２】
前記ブラケット部は、前記屋根部材に着脱可能に設けることができる。
【発明の効果】
【００１３】
本発明のバケットエレベータにおける下部プーリ清掃装置によれば、下部ケーシング上端面の中間開口部から手を差し入れて、前記屋根部材の山形カバー板を取り外して点検用開口部を開口することにより下部プーリを露出することができるので、屋根部材全体を下部ケーシング内から取り出す必要がなく、下部プーリに付着した糠や塵埃等を容易に取り除くことができる。
【００１４】
前記山形カバー板に蝶番を設けることにより、該山形カバー板の開閉が容易になる。
【００１５】
前記屋根部材にはブラケット部を設けるので該屋根部材を下部ケーシング内に容易に固定することができる。
【００１６】
さらに、前記ブラケット部を着脱可能に設けることにより、該屋根部材を後付する場合などにおいて、ブラケット部等を分割することにより、前記中間開口部が小さくても、前記屋根部材を前記中間開口部を経て下部ケーシング内に出し入れすることが容易になる。
【図面の簡単な説明】
【００１７】
【図１】バケットエレベータの正面図。
【図２】同上バケットエレベータの下部ケーシングの拡大正面図。
【図３】同上の下部ケーシングの平面図。
【図４】同上の下部ケーシングの右側面図。
【図５】同上の下部ケーシングの斜視図。
【図６】屋根部材の斜視図。
【発明を実施するための形態】
【００１８】
以下、本発明の実施の形態を図面に基づいて説明する。
図１はバケットエレベータの正面図を示す。
本発明の実施の形態におけるバケットエレベータ１は、上部ケーシング２、上昇用の中間ケーシング３Ａ、下降用の中間ケーシング３Ｂ及び下部ケーシング４を組付けて構成される。そして、前記上部ケーシング２内には上部プーリ５が、前記下部ケーシング４内には下部プーリ６が、それぞれ軸支される。
なお、前記中間ケーシング３Ａ，３Ｂは、それぞれ複数のケーシングを上下に組付けて構成されることもある。
【００１９】
前記上部プーリ５と前記下部プーリ６との間には、複数のバケット８が等間隔に装着された無端状のバケットベルト７が掛け渡されるとともに、該バケットベルト７は前記上部ケーシング２、下部ケーシング４及び中間ケーシング３Ａ，３Ｂ内に回動自在に挿通される。
また、前記下部ケーシング４には穀粒等の被搬送物の供給部１５が形成され、前記上部ケーシング２には被搬送物の排出部１６が形成されている。そして、前記上部ケーシング２には、駆動プーリである前記上部プーリ５にスプロケットやチェーン（いずれも図示せず。）を介して動力を伝達するための減速機付モータ９が設置される。
【００２０】
前記バケットエレベータ１は、前記モータ９により前記バケットベルト７を駆動することで、前記供給部１５から供給される被搬送物を前記バケット８によってすくい上げて上方へ搬送し、前記被搬送物を前記排出部１６から排出する。
【００２１】
図２は、前記下部ケーシング４の拡大正面図、図３は前記下部ケーシング４の平面図、図４は前記下部ケーシング４の右側面図、図５は前記下部ケーシング４の斜視図をそれぞれ示す。なお、図４及び図５において供給部１５は図示を省略してある。
【００２２】
前記下部ケーシング４の底面は円弧状に形成され、下部ケーシング４底部は脚部材１０によって支持される。下部ケーシング４内には、無端状の前記バケットベルト７の下端部を掛回する下部プーリ６が、下部軸１１を介して下部ケーシング４の一対の側板間に軸受１２Ａ，１２Ｂによって軸支される。また、前記下部ケーシング４の上端面にあって、前記中間ケーシング３Ａ，３Ｂの中間部には中間開口部１３と該中間開口部１３を開閉する蓋板１４が設けられる。前記中間開口部１３は、少なくとも片手が挿通できる大きさとする。
【００２３】
一方、前記上部プーリ５も、前記下部プーリ６と同様に、上部ケーシング２の一対の側板間に一対の軸受（図示せず。）によって軸支され、前記バケットベルト７の上端部が掛回される。これにより、モータ９の駆動によって、上部プーリ５と下部プーリ６間に掛回された前記バケットベルト７が、上昇用の中間ケーシング３Ａから上部ケーシング２、下降用の中間ケーシング３Ｂ及び下部ケーシング４内を回転・移動する。
【００２４】
次に、前記下部ケーシング４内に装着される屋根部材１７について説明する。前記屋根部材１７は一対の傾斜面１８Ａ、１８Ｂからなる山形に形成される。また、前記屋根部材１７は、これら傾斜面１８Ａ、１８Ｂの各上端縁が合わさる頂部１９の稜線方向が前記下部軸１１の軸方向と直交するように、すなわち、上昇側と下降側のバケットベルト７間に前記稜線方向の両端面を接するように位置させて、前記下部プーリ６の直上に配設される。  
【００２５】
前記一対の傾斜面１８Ａ、１８Ｂには前記頂部１９を挟んで点検用開口部２０を設ける。前記点検用開口部２０は、少なくとも片手が入る大きさとする。そして、前記点検用開口部２０を覆うように山形カバー板２１を装着する。前記山形カバー板２１は、前記一対の傾斜面１８Ａ、１８Ｂに対して着脱可能となるように蝶番２２とボルト２３とで装着する。前記山形カバー板２１の装着手段としては、前述の蝶番２２とボルト２３に限らず、適宜な手段が選択できる。前記頂部１９には前記山形カバー板２１を開閉させるための取っ手２４を設けるとよい。
【００２６】
前記屋根部材１７には、該屋根部材１７を前記下部ケーシング４内に固着するため一対のブラケット部２５Ａ，２５Ｂを設ける。すなわち、前記一対の傾斜面１８Ａ、１８Ｂの各下端縁から延出して一対のブラケット部２５Ａ，２５Ｂをそれぞれ設ける。その際、前記各ブラケット部２５Ａ，２５Ｂは前記傾斜面１８Ａ、１８Ｂに対して着脱可能となるようボルト２６等で固着する。
【００２７】
前記各ブラケット部２５Ａ，２５Ｂの水平方向両端部には前記下部ケーシング４内壁面に向けて折曲して形成した突出部２７をそれぞれ設ける。そして、前記突出部２７を前記下部ケーシング４の両内壁面に当接させて固着すべく、前記突出部２７をボルト２８等によって前記下部ケーシング４の軸受１２Ａ，１２Ｂ側の両壁面に螺着する。
前記屋根部材１７を前記突出部２４を介して前記下部ケーシング４内に固定することにより、前記下部ケーシング４の内壁面と前記屋根部材１７との間にスペース２９が形成されることとなり、前記一対の傾斜面１８Ａ、１８Ｂに沿って流下する穀粒等が前記スペース２９を経て前記下部ケーシング４底部に落下する。
【００２８】
本発明の実施の形態では、前記一対の傾斜面１８Ａ，１８Ｂを一体に形成しているが、前記一対の傾斜面１８Ａ，１８Ｂの各上端縁が合わさる頂部１９を分割可能に形成してもよく、この場合は、前記点検用開口部は前記傾斜面１８Ａ，１８Ｂのいずれか一方に設けてもよい。  
【００２９】
次に、上述の本発明の実施の形態において、下部ロール６を清掃やメンテナンスを行う場合について説明する。
下部ケーシング４上端中央部の蓋板１４を取り外して中間開口部１３を露出させ、該中間開口部１３から手を差し入れ、山形カバー板２１を固定するボルト２３を螺脱するとともに、取っ手２４を握って前記山形カバー板２１を蝶番２２を中心に上方へ回動し、点検用開口部２０を開口させ、前記下部ロール６を露出させる。
【００３０】
前記点検用開口部２０から手を挿入することにより下部ロール６の清掃やメンテナンスが可能となる。
また、前記屋根部材１７を既存のバケットエレベータへ新たに装着する場合、前述のように蓋板１４を取り外して前記中間開口部１３から前記屋根部材１７を下部ケーシング４内へ挿入するのであるが、前記開口部１３が小さい場合等においては、前記一対のブラケット部２５Ａ，２５Ｂを前記傾斜面１８Ａ，１８Ｂから分割した後に別々に挿入し、前記下部ケーシング４内で再度組付けることで作業を円滑に行うことができる。
【産業上の利用可能性】
【００３１】
本発明のバケットエレベータにおける下部プーリ清掃装置においては、簡単かつ安価な構成により下部プーリの清掃等が可能となり、作業効率が向上する。
【符号の説明】
【００３２】
１      バケットエレベータ  
２      上部ケーシング      
３Ａ    中間ケーシング  
３Ｂ    中間ケーシング    
４      下部ケーシング      
５      上部プーリ  
６      下部プーリ  
７      バケットベルト  
８      バケット  
９      モータ  
１０    脚部材  
１１    下部軸  
１２Ａ  軸受
１２Ｂ  軸受  
１３    中間開口部    
１４    蓋板    
１５    供給部
１６    排出部
１７    屋根部材
１８Ａ  傾斜面
１８Ｂ  傾斜面  
１９    頂部
２０    点検用開口部
２１    山形カバー板
２２    蝶番
２３    ボルト
２４    取っ手
２５Ａ  ブラケット部
２５Ｂ  ブラケット部  
２６    ボルト
２７    突出部
２８    ボルト
２９    スペース
【図１】
0006544576.tif 000002
【図２】
0006544576.tif 000003
【図３】
0006544576.tif 000004
【図４】
0006544576.tif 000005
【図５】
0006544576.tif 000006
【図６】
0006544576.tif 000007